(57)【要約】  【課題】輸送または保管中の冷却装置の梱包装置から漏洩した可燃性冷媒の梱包装置外部への拡散を行い、梱包箱の引火を防止し、安全な冷却装置の梱包装置を提供する。  【解決手段】冷却装置６の接続されたパイプ及び圧縮機７、凝縮器８、冷却器９で可燃性冷媒が漏洩した場合において、梱包箱５の第一の換気穴１０により梱包箱５の外部に可燃性冷媒を拡散し、梱包箱５に溜まった可燃性冷媒が発火し、梱包装置が発火することなく安全な冷却装置の梱包装置を提供することができるものである。【選択図】図１
2006027714.tif 000002
【特許請求の範囲】
【請求項１】
可燃性冷媒を用いた冷却装置の梱包装置であって、前記梱包装置の下部に第一の換気穴を持つ梱包箱から構成され、前記冷却装置からの漏洩冷媒を前記第一の換気穴から拡散することを特徴とした冷却装置の梱包装置。
【請求項２】
前記梱包箱の内部の上側と下側を仕切る仕切り板に第二の換気穴を持つことを特徴とした請求項１記載の冷却装置の梱包装置。
【請求項３】
前記梱包箱に設けた冷却器用の梱包材に第三の換気穴を持つことを特徴とした請求項２に記載の冷却装置の梱包装置。
【請求項４】
前記梱包箱の下部に設けた第一の換気穴を網目形状に形成したことを特徴とした請求項１〜３のいずれか１項に記載の冷却装置の梱包装置。
【請求項５】
前記梱包箱内部に、可燃性冷媒のガス成分に反応するガス漏れ警報器を持つことを特徴とした請求項１〜４のいずれか１項に記載の冷却装置の梱包装置。
【発明の詳細な説明】
【技術分野】
【０００１】
本発明は、可燃性冷媒を使用した自動販売機等の冷却装置の梱包装置に関するものである。
【背景技術】
【０００２】
従来、この種の梱包装置としては、例えば、冷却装置からの漏洩冷媒を梱包装置内に滞留させているものがあった（特許文献１参照）。
【０００３】
図６は前記文献に記載された従来の梱包装置を示すものである。図６において、空気調和機１の梱包装置は、観音開きの上蓋２、箱体３及びシーリング材４から構成されている。
【特許文献１】特開２０００−９５２７６号公報
【発明の開示】
【発明が解決しようとする課題】
【０００４】
しかしながら、前記従来の構成では、梱包装置内部に溜まった可燃性冷媒にタバコ等の着火源を近づけると梱包装置が発火するという問題があった。
【０００５】
本発明は、上記従来の課題を解決するもので、冷凍サイクルの冷媒として可燃性冷媒を使用しても安全性の高い冷却装置の梱包装置を提供することを目的とする。
【課題を解決するための手段】
【０００６】
前記従来の課題を解決するために、本発明の冷却装置の梱包装置は、梱包装置の箱体の下部に第一の換気穴を設けたもので、第一の換気穴により冷却装置から漏れた可燃性冷媒を梱包装置の内部に溜めることなく梱包装置の外部に拡散することができる。
【発明の効果】
【０００７】
本発明の冷却装置の梱包装置は、冷却装置から可燃性冷媒が漏れているような場合においても、梱包装置内の可燃性冷媒の濃度を過度に上昇することはなく、可燃性冷媒が漏洩した場合にも梱包装置が発火する可能性は極めて低くできる。
【発明を実施するための最良の形態】
【０００８】
請求項１に記載の発明は、梱包装置の箱体の下部に第一の換気穴を設けることにより、第一の換気穴により冷却装置から漏れた可燃性冷媒を梱包装置に溜めることなく梱包装置の外部に拡散することができ、可燃性冷媒が漏洩した場合にも梱包装置が発火する可能性は極めて低くできる。
【０００９】
請求項２に記載の発明は、梱包装置の仕切り板に第二の換気穴を設けることにより、第二の換気穴により接続配管から漏れた可燃性冷媒を梱包装置の上部に溜めることなく仕切り板の第二の換気穴と梱包装置の下部より外部に拡散することができ、可燃性冷媒が漏洩した場合にも梱包装置が発火する可能性は極めて低くできる。
【００１０】
請求項３に記載の発明は、冷却器の梱包材に第三の換気穴を設けることにより、第三の換気穴と第二の換気穴により冷却器から漏れた可燃性冷媒を冷却器の周囲に溜めることなく冷却器周囲から梱包箱の下部へそして外部に拡散することができ、可燃性冷媒が漏洩した場合にも梱包装置が発火する可能性は極めて低くできる。
【００１１】
請求項４に記載の発明は、請求項１に記載の梱包装置の箱体の下部に設けた第一の換気穴を網目形状に形成したことにより、鼠の箱体への侵入を防止することができる。
【００１２】
請求項５に記載の発明は、前記梱包装置内部に、可燃性冷媒のガス成分に反応するガス漏れ警報器を設けることにより、冷却装置の修理交換時において修理後の冷却装置のガス漏れを検知し、梱包装置が発火する可能性は極めて低くできる。
【００１３】
（実施の形態１）
図１は、本発明の実施の形態１による冷却装置の梱包装置の斜視図である。
【００１４】
図１において梱包箱５は段ボール等の紙材で構成されているが、樹脂材料であってもよい。冷却装置６は梱包箱５に収納されており、圧縮機７と凝縮器８と減圧装置（図示せず）と冷却器９を順次パイプで接続し、自動販売機等の冷却装置の故障時にその冷却装置毎交換するために使用する冷却装置であり、自動販売機等の庫内を冷却する。冷却装置６には、自然冷媒としてＲ２９０単一冷媒もしくはＲ２９０を含む混合冷媒を封入されている。接続配管１０は減圧装置からの配管と冷却器９から圧縮機７へ流す配管である。第一の換気穴１１は梱包箱５の下側側面の四隅に梱包箱５の内部と外部を貫通するように設けている。仕切り板１２は梱包箱５の高さ方向中央部付近で仕切る板であり、その仕切り板１２の上に冷却器９を配置する。
【００１５】
以上のように構成された冷却装置の梱包装置についてその作用を説明する。
【００１６】
ここで、万一、冷却装置６の接続されたパイプ及び圧縮機７、凝縮器８、冷却器９で可燃性冷媒が漏洩した場合において、梱包箱５の第一の換気穴１１により梱包箱５の外部に可燃性冷媒を拡散し、梱包箱５に溜まった可燃性冷媒が発火し、梱包装置が発火することなく安全な冷却装置の梱包装置を提供することができる。
【００１７】
以上のように構成された冷却装置の梱包装置は、第一の換気穴１１を梱包箱５の下側側面に設けたので、冷媒漏洩時などにおいても、可燃性冷媒は空気より重く、梱包箱５の下側に溜まり、梱包箱５の第一の換気穴１１により梱包箱５の外部に可燃性冷媒を拡散し、梱包箱５に溜まった可燃性冷媒が発火し、梱包装置が発火することなく安全な冷却装置の梱包装置を提供することができる。
【００１８】
また、本実施の形態の第一の換気穴１１を梱包箱５の底面にすることにより空気より重い可燃性冷媒を梱包箱５の下側に溜め、第一の換気穴１１から梱包箱５の外部に拡散し、梱包箱５に溜まった可燃性冷媒が発火し、梱包装置が発火することなく安全な冷却装置の梱包装置を提供することができる。
【００１９】
また、本実施の形態の第一の換気穴１１を梱包箱５の下側側面の四隅に設けることにより、梱包箱５の強度を確保できる。
【００２０】
また、本実施の形態の第一の換気穴１１を梱包箱５の下側側面の四隅以外に側面中央部付近に設けることにより、さらに第一の換気穴１１により梱包箱５の外部に可燃性冷媒を拡散し易くできる。
【００２１】
また、本実施の形態の梱包箱５を樹脂材料にすることにより、梱包箱５の外側からの衝撃に強くなり、外部からの衝撃による冷却装置６のパイプ折れ等が防止でき、可燃性冷媒の漏洩が防止でき、安全な冷却装置の梱包装置を提供することができる。
【００２２】
（実施の形態２）
図２は、本発明の実施の形態２による冷却装置の梱包装置の斜視図である。
【００２３】
図２において、第二の換気穴１３は仕切り板１２の冷却器９の配置されている手前側に仕切り板の上部と下部を貫通するように設けている。
【００２４】
以上のように構成された冷却装置の梱包装置についてその作用を説明する。
【００２５】
ここで、万一、接続配管１０で可燃性冷媒が漏洩した場合において、漏れた可燃性冷媒を梱包箱５の上部に溜めることなく、仕切り板１２の第二の換気穴１３により梱包箱５の第一の換気穴１１にまで可燃性冷媒を拡散し、梱包箱５に溜まった可燃性冷媒が発火し、梱包装置が発火することなく安全な冷却装置の梱包装置を提供することができる。
【００２６】
以上のように構成された冷却装置の梱包装置は、第二の換気穴１３を仕切り板１２に設けたので、接続配管１０の冷媒漏洩時などにおいても、可燃性冷媒は空気より重く、仕切り板１２の第二の換気穴１３と梱包箱５の第一の換気穴１１により梱包箱５の外部に可燃性冷媒を拡散し、梱包箱５に溜まった可燃性冷媒が発火し、梱包装置が発火することなく安全な冷却装置の梱包装置を提供することができる。
【００２７】
また、本実施の形態の第二の換気穴１３を仕切り板１２の冷却器９の周囲すべてに設けることにより、さらに第二の換気穴１３と第一の換気穴１１により梱包箱５の外部に可燃性冷媒を拡散し易くできる。
【００２８】
（実施の形態３）
図３は、本発明の実施の形態３による冷却装置の梱包装置の斜視図である。
【００２９】
図３において梱包材１４は、仕切り板１２の上に配置された冷却器９を梱包する段ボール等の梱包材である。この梱包材１４により冷却装置６を梱包箱５から出し入れする場合に冷却器９で手に怪我をしないようにするためのものである。梱包材１４には、第三の換気穴１５を梱包材１４の内側と外側を貫通するように設けている。
【００３０】
以上のように構成された冷却装置の梱包装置についてその作用を説明する。
【００３１】
ここで、万一、冷却器９で可燃性冷媒が漏洩した場合において、梱包材１４の第三の換気穴１５により漏れた可燃性冷媒を冷却器９の外側に拡散し、仕切り板１２に設けた第二の換気穴１３のより梱包箱５の第一の換気穴１１にまで可燃性冷媒を拡散し、梱包箱５に溜まった可燃性冷媒が発火し、梱包装置が発火することなく安全な冷却装置の梱包装置を提供することができる。
【００３２】
以上のように構成された冷却装置の梱包装置は、第三の換気穴１５を梱包材１４に設けたので、冷却器９の冷媒漏洩時などにおいても、可燃性冷媒は空気より重く、梱包材１４の第三の換気穴１５と仕切り板１２の第二の換気穴１３と梱包箱５の第一の換気穴１１により梱包箱５の外部に可燃性冷媒を拡散し、梱包箱５に溜まった可燃性冷媒が発火し、梱包装置が発火することなく安全な冷却装置の梱包装置を提供することができる。
【００３３】
また、本実施の形態の梱包材１４を樹脂材料にすることにより、梱包箱５の外側からの衝撃に強くなり、外部からの衝撃による冷却器９のパイプ折れ等が防止でき、可燃性冷媒の漏洩が防止でき、安全な冷却装置の梱包装置を提供することができる。
【００３４】
また、本実施の形態の第三の換気穴１５を梱包材１４の周囲すべてに設けることにより、さらに第三の換気穴１５と第二の換気穴１３と第一の換気穴１１により梱包箱５の外部に可燃性冷媒を拡散し易くできる。
【００３５】
（実施の形態４）
図４は、本発明の実施の形態４による冷却装置の梱包装置の斜視図である。
【００３６】
図４において網１６は、第一の換気穴に鼠等の虫、動物が梱包箱５に入らないように網目状に樹脂材料のフィルター（フィルターの目は約４ｍｍ角）を梱包箱５の内側に第一の換気穴の大きさより少し大きい面積で貼り付けている。
【００３７】
以上のように構成された冷却装置の梱包装置についてその作用を説明する。
【００３８】
ここで、万一、梱包箱５に鼠が第一の換気穴を通って入る場合、網１６により鼠が梱包箱５の内部に入ることを防止できる冷却装置の梱包装置を提供することができる。
【００３９】
以上のように構成された冷却装置の梱包装置は、網１６を設けたので、梱包箱５の内部への鼠の侵入を防止でき、また冷媒漏洩時などにおいても、可燃性冷媒は空気より重く、梱包箱５の第一の換気穴１１により梱包箱５の外部に可燃性冷媒を拡散し、梱包箱５に溜まった可燃性冷媒が発火し、梱包装置が発火することなく安全な冷却装置の梱包装置を提供することができる。
【００４０】
（実施の形態５）
図５は、本発明の実施の形態４による冷却装置の梱包装置の斜視図である。
【００４１】
図５においてガス漏れ警報器１７は、冷却装置６で可燃性冷媒が漏洩した場合、可燃性冷媒のガス成分に反応して梱包箱５の外部に警告音や警告表示をできるようにしている。
【００４２】
以上のように構成された冷却装置の梱包装置についてその作用を説明する。
【００４３】
ここで、万一、冷却装置６で可燃性冷媒が漏洩した場合、ガス漏れ警報器１７により梱包箱５の内部の可燃性冷媒の濃度を的確に検知できるので、より安全に冷却装置６の交換作業ができる。
【００４４】
以上のように構成された冷却装置の梱包装置は、ガス漏れ警報器１７を設けたので、冷却装置６の交換作業時、交換後の古い冷却装置でガス漏れがあった場合に、ガス漏れを検知でき、梱包装置で発火することなく安全な冷却装置の梱包装置を提供することができる。
【００４５】
また、本実施の形態のガス漏れ警報器１７を梱包箱５の外部に設けることにより、ガス漏れ警報器１７により梱包箱５の周囲の可燃性冷媒の濃度を的確に検知できるので、より安全に冷却装置６の交換作業ができる。
【産業上の利用可能性】
【００４６】
本発明の冷却装置の梱包装置によれば、冷却装置から可燃性冷媒が漏れているような場合においても、梱包装置が発火する可能性を極めて低くでき、可燃性冷媒を用いた冷却装置を適用した冷却機器全般に有用である。
【図面の簡単な説明】
【００４７】
【図１】本発明の実施の形態１における冷却装置の梱包装置の斜視図
【図２】本発明の実施の形態２における冷却装置の梱包装置の斜視図
【図３】本発明の実施の形態３における冷却装置の梱包装置の斜視図
【図４】本発明の実施の形態４における冷却装置の梱包装置の斜視図
【図５】本発明の実施の形態５における冷却装置の梱包装置の斜視図
【図６】従来の梱包装置の斜視図
【符号の説明】
【００４８】
５    梱包箱
６    冷却装置
９    冷却器
１１  第一の換気穴
１２  仕切り板
１３  第二の換気穴
１４  梱包材
１５  第三の換気穴
１６  網
１７  ガス漏れ警報器
【図１】
2006027714.tif 000003
【図２】
2006027714.tif 000004
【図３】
2006027714.tif 000005
【図４】
2006027714.tif 000006
【図５】
2006027714.tif 000007
【図６】
2006027714.tif 000008